(57)【要約】【課題】簡易な構造でありながら、放出絶縁油を周辺に飛散させることなく、タンクで受けて速やかに貯留静置させると共に、既存の変圧設備にも低コストで簡易に設置可能な絶縁油貯留タンクを提供する。【解決手段】落下流を外部に飛散させずにタンク内に受け入れる流入口１２ａを有する第１空間１２と、該第１空間に隣接する第２空間１３とを連通する位置に設けたオリフィス２と、第２空間に設けた通気口１３ａから構成する。また、このようなオリフィスを、流れ方向に対して複数段にして設けると共に、該オリフィスを第１空間の底面１１から所定高さまでの幅方向に形成した一個又は多数個の開口とする。このオリフィスの開口は、スリット、円形、長円形、楕円形、多角形、のいずれか又はこれらの組合せとしても良い。さらに、第１空間、第２空間のいずれか又は両方に整流板３１を配置する。【選択図】      図２
0003102594.tif 000002
【実用新案登録請求の範囲】
【請求項１】
油入変圧設備（Ｔ）内からの絶縁油の落下流を受ける絶縁油貯留タンクであって、
落下流を外部に飛散させずにタンク内に受け入れる流入口（１２ａ）を有する第１空間（１２）と、
該第１空間（１２）とこれに隣接する第２空間（１３）とを連通する位置に設けたオリフィス（２）と、
上記第２空間（１３）に設けた通気口（１３ａ）と、
から成ることを特徴とする絶縁油貯留タンク。
【請求項２】
オリフィス（２、３）を、流れ方向に対して複数段にして設けたことを特徴とする請求項１記載の絶縁油貯留タンク。
【請求項３】
オリフィス（２）を、第１空間（１２）の底面（１１）から所定高さまでの幅方向に形成した一個又は多数個の開口としたことを特徴とする請求項１、又は２記載の絶縁油貯留タンク。
【請求項４】
オリフィス（２）の開口を、スリット（５ａ）、円形（５ｂ）、長円形、楕円形、多角形、のいずれか又はこれらの組合せ（５ｃ）としたことを特徴とする請求項３記載の絶縁油貯留タンク。
【請求項５】
第１空間（１２）、第２空間（１３）のいずれか又は両方に整流板（３１）を配置したことを特徴とする請求項１、２、３、又は４記載の絶縁油貯留タンク。
【考案の詳細な説明】
【技術分野】
【０００１】
本願考案は、内部の収納容器に電気機器を収納すると共に絶縁油を満たした変圧設備において、事故等により該変圧設備から外部へ放出させた絶縁油を貯留するための絶縁油貯留タンクに関する。
【背景技術】
【０００２】
変電施設に設置されている大型（例えば、４〜１２ｍ３）の変圧設備の構造は、その内部に配設した大空間の収納容器内にコイルやコア等からなる電気機器類を配設すると共にこれらを絶縁油で満たし、又は必要により所定のガスを封入しているのが一般的な構造である。
【０００３】
ところで、このような大型の変圧設備には、例えば、地震等の震災や人為的な操作ミス等の原因によりアーク放電を伴うような事故が発生すると、急激なガスの発生により収納容器の内圧が上昇して収納した電気機器類の破壊へ至る場合があった。このため、このような事故が発生した場合を想定して、これらの危機回避手段として所定量の絶縁油を収納容器内から外部へ排出させたり、及び（又は）ガス圧を低下させたりするための放圧装置が設置されていた。
【０００４】
上記のような事故はレアケース（数年に１、２度有るか無いかの程度）であるが、従来は、放圧装置により排出された絶縁油を、そのまま設置面に垂れ流して地面に浸透させたままの状態とするか、または、放圧装置の周囲を掘削して、所定量の絶縁油の放出流を受け得る容積の開放型受油槽を施工していた。
【０００５】
また、変圧設備の内部に収納容器とは別に、排出させた絶縁油を貯留するための予備タンクを付帯設備として設けているものもあった（例えば、特許文献１参照。）。
【特許文献１】特開２０００−２１６４５号公報（第２−３頁、第１図）
【考案の開示】
【考案が解決しようとする課題】
【０００６】
しかしながら、絶縁油は、周辺環境や人体に悪影響を与える物質が含まれている可能性があることが多く、また過去には、耐熱性や電気絶縁性に優れているとして広く使用されていたＰＣＢ（ポリ塩化ビフェニール）が、人体への毒性が強く、自然物および生体の中に蓄積されやすいことから製造・使用が禁止された経緯があった。そのため、その保管や取扱い、特に周辺環境への拡散には慎重な配慮が必要であった。このことからも、絶縁油を垂れ流し状態とすることや開放型の簡易的な受油槽に貯留させることは問題であった。
【０００７】
また、変圧設備の内部に貯留用予備タンクを配設する場合でも、既存の放圧装置の内部に配設することは、その配置場所やそのための配管経路から適応が難しいものであった。当初から専用に設計して放圧装置の必須の付帯設備とすることが望ましいが、上記したようにレアケースを想定してこのような予備タンクの設置を義務付けることは、変圧設備のコスト上昇を招き費用対効果の面から言っても得策ではないものであった。
【０００８】
そこで、本願考案は、上記課題を解決し、簡易な構造でありながら、放出絶縁油を周辺に飛散させることなく、速やかに貯留静置させると共に、低コストで既存の変圧設備にも簡易に設置可能な絶縁油貯留タンクを提供するものである。
【課題を解決するための手段】
【０００９】
上記の課題を解決するために、本願考案にかかる絶縁油貯留タンクは以下のように構成している。
【００１０】
すなわち、落下流を外部に飛散させずにタンク内に受け入れる流入口（１２ａ）を有する第１空間（１２）と、該第１空間（１２）とこれに隣接する第２空間（１３）とを連通する位置に設けたオリフィス（２）と、上記第２空間（１３）に設けた通気口（１３ａ）と、から構成したことを特徴としている。
【００１１】
また、このようなオリフィス（２、３）を、流れ方向に対して複数段にして設けると共に、該オリフィス（２）を、第１空間（１２）の底面（１１）から所定高さまでの幅方向に形成した一個又は多数個の開口としたことを特徴としている。
【００１２】
さらに、オリフィス（２）の開口を、スリット（５ａ）、円形（５ｂ）、長円形、楕円形、多角形、のいずれか又はこれらの組合せ（５ｃ）としたことを特徴としている。
【００１３】
加えて、第１空間（１２）、第２空間（１３）のいずれか又は両方に整流板（３１）を配置したことを特徴としている。
【００１４】
なお、実用新案登録請求の範囲の書類と上記の課題を解決するための手段の欄で記載した括弧付き符号は、考案の構成の理解を容易にするため参考として図面符号を付記したもので、この図面上の形態に限定するものでないことはもちろんである。
【考案の効果】
【００１５】
本願考案の絶縁油貯留タンクは上記のように構成をしているため、以下の効果を奏する。
【００１６】
すなわち、タンク内を第１空間と第２空間とに分離し、両空間とを連通するオリフィスを設けているため、変圧設備から多量かつ急激に絶縁油が排出された場合でも、確実にタンク内に貯留すると共に静置させることができ、第２空間に設けた通気口から絶縁油の外部への飛散を防止することが可能となる。
【００１７】
また、このオリフィスの開口形を、タンク内に第１空間と第２空間とを形成する整流板がタンク底面と成す矩形状の単なる開口としても良く、必要により該整流板の下端側に設けたスリット、円形、長円形、楕円形、多角形、のいずれか又はこれらの組合せの形状から適宜に選択して設けたものにしても良いため、絶縁油貯留タンクをより簡易な構造で構成することが可能となる。
【００１８】
さらに、第１空間に流入口を設けたことにより、既存の変圧設備の放圧装置にフランジにより簡易に連結することを可能としている。
【考案を実施するための最良の形態】
【００１９】
以下に、本願考案にかかる絶縁油貯留タンク（以下、「タンク」と略称する。）における実施の最良形態を、図面に基づき詳細に説明する。
【実施例１】
【００２０】
図１は実施例１のタンクの全体外観及び変圧設備に対する配置状況を示す一部切欠き斜視図であり、図２は実施例１のタンクを示す一部切欠き斜視図である。
【００２１】
本実施例のタンク１は、図１に示すように、変圧設備Ｔが設置された基礎Ｂの基礎面上に設置しており、下端側に配設したアングル材から成る脚座１４により所定間隔浮かせるようにして固定設置すると共に、放圧装置から基礎Ｂ付近まで略垂下状に取り付けられた下端開放の放圧管Ｐの下端部付近に配置している。なお、上記の脚座１４より浮かせる間隔は、後述するドレンパイプ１５が基礎Ｂに干渉しない程度に設定されている。
【００２２】
当該タンク１は、ステンレス材から成り、各変圧設備Ｔの機種によって予め設定した緊急時の放出絶縁油量を十分に貯留可能な内部空間の容積を持たせて矩形密封容器状に形成している。
【００２３】
タンク１の内部空間には、図２に示すように、その空間を２区画に仕切るように内側天面から垂下状に板状の整流板２１を配設している。該整流板２１の下端部には、その下端縁をタンク１の内部の底面１１から所定の距離だけ上位置に配置してオリフィス２(第１オリフィス)を形成している。この整流板２１の配設により、タンク１の内部空間を、第１空間１２と第２空間１３とに区分けすると共に、上記オリフィス２を介して両空間１２、１３を連通させている。
【００２４】
タンク１の天面側には、第１空間に連通する流入口１２ａを、及び外部と第２空間１３とを連通する通気口１３ａをそれぞれ形成している。この流入口１２ａは、タンク１の天面から若干の高さだけ円筒状に立ち上げ、その上端にフランジ１２ｂを形成している。このフランジ１２ｂは、その上面に配置したルーズフランジＦを介して放圧管Ｐと接合している。これにより、落下流の一部が外部に飛散しない状態を確保すると共に、ルーズフランジＦによりタンク１と放圧管Ｐとの上下動を吸収させている。
【００２５】
一方、通気口１３ａはタンク１の天面から若干の高さだけ矩形状に立ち上げた開口部に、通気を確保しつつ雨や虫など外部からの侵入物を防ぐための着脱自在の覆体１３ｂを取り付けて構成している。なお、タンク１の側面には、貯油量の確認のための油量確認窓４を設けている。
【００２６】
また、第２空間１３に対応させた底面１１の外側面には、半割状にしたドレンパイプ１５を底面１１の短手方向を横断させるようにして取り付け、タンク１の側面へ突出した両端開口にはそれぞれバルブ１５ｂを配設している。ドレンパイプ１５の管路は、第２空間１３の底面１１に開設した２箇所の排出口１５ａによりタンク１内と連通している。このドレンパイプ１５は、底面１１の短手方向を横断させるようにして固着させているため、タンク１の底面１１を補強する役割も担っている。
【００２７】
次に、第２空間１３側には上記の整流板２１の配置と同様に、その下端縁を底面１１側から所定の高さだけ離隔させて第２オリフィス３を形成した補助整流板３１を取り付けている。なお、この補助整流板３１は、貯留させる絶縁油量と落下流の速度を考慮して選択的に設けるものであり、通常、上記の第１オリフィス２の成す開口より大きな開口面積を持たせている。また、図示は省略するが、第１空間１２及び（又は）第２空間１３にもそれぞれ設けるようにしても良く、さらには複数枚を適宜に平行配置するようにしてもよい。
【００２８】
このように整流板２１と第１オリフィス２を設けることにより、流入口１２ａからの落下流は第１空間１２に多量かつ急激に流入して噴流状態となるが、この状態は整流板２１に阻止されて第１空間１２内においてのみ発生することとなる。そして、整流板２１の下端縁とタンク１の底面１１との間に形成した横方向開口の第１オリフィス２により、第２空間１３への流量が絞り制御されると共に、落下流の流線が垂直方向から略直角方向へ急激に変化させられることにより運動エネルギーの損失が生じて第２空間１３へ移動した絶縁油はその勢いを弱められて比較的穏やかな流れや油面となって第２空間１３内に滞留することとなる。別言すると、落下流で第１空間１２に供給された噴流又は激流状態を呈した絶縁油は、第１オリフィス２を通って運動エネルギーが弱められ、両空間の油面が均衡するまで第２空間１３へ移動し続け、速やかに静水状態となる。
【００２９】
また、補助整流板３１を設けた場合は、これらも流速の勢いを抑える働きをして、より早く穏やかや流れや油面の形成を期待することができる。この補助整流板３１は、いわば通気口１３ａの直下における油面の乱れを抑制する、いわゆる防波堤と捉えることができる。上記のように、この補助整流板３１は省略することも可能であるが、必要によっては第１空間１２にも配置して、タンク内への流入直後の絶縁油の流量制限を行うようにしても良い。
【００３０】
なお、タンク内に貯留した絶縁油は、バルブ１５ｂの開操作により第２空間１３側の排出口１５ａからドレンパイプ１５を経て外部に排出するようにしても良く、着脱自在に構成した通気口１３ａの覆体１３ｂを取り外し、ここから吸引パイプ等（図示省略。）を挿入して貯留油を吸い出すようにしても良い。
【００３１】
さらに、第１オリフィス２の開口縁を、連続した第１空間１２と第２空間１３との底面１１を含むようにして形成した場合は、内部に溜まった結露水が底面を伝って両空間のいずれかへ流れ移動が可能となり、１つのドレンパイプ１５で両空間の結露水を排出させることもできる。
【実施例２】
【００３２】
上述した実施例１では、整流板２１がなす第１オリフィス２の開口は単なる矩形であったが、これに限定されるものではない。
【００３３】
すなわち、図３に示すように、開口形を（ａ）スリット５ａ、（ｂ）円形５ｂ、（ｃ）スリットと円形の組合せ５ｃにしたり、他には長円、楕円形、多角形、星形、などの各種の形状の一個又は数種の組合せた形状にしても良い。
【００３４】
例えば、スリット、円形、多角形にすれば、開口部の面積が小さくなるので、実施例１と比較すると流量制限は大きくなるが流速が増加することになる。また、長円形、楕円形にすれば、流量制限が小さくなるが流速が減少する。スリットと円形組合せにすれば、流量制限及び流速が他の場合と比較すれば適式であるが、製造コストが若干ながら嵩むことになる。
【００３５】
さらに開口部の面積を種々に設定した場合、同じ水平位置であっても、そこらか噴出される流速は区々となり、第２空間１３内で衝突して互いに打ち消し合う方向に作用させて迅速な静水化を進めることができる。
【００３６】
以上より、各タイプにより作用が異なるため、各変圧設備Ｔの機種による放出絶縁油量等の諸条件を考慮して選択すればよい。
【図面の簡単な説明】
【００３７】
【図１】実施例１のタンクの全体外観及び変圧設備に対する配置状況を示す一部切欠き斜視図である。
【図２】実施例１のタンクを示す一部切欠き斜視図である。
【図３】実施例２のオリフィスを示す一部切欠き斜視図（ａ）、（ｂ）、（ｃ）である。
【符号の説明】
【００３８】
１  タンク
１１  底面
１２  第１空間
１２ａ  流入口
１２ｂ  フランジ
１３  第２空間
１３ａ  通気口
１３ｂ  覆体
１４  脚座
１５  ドレンパイプ
１５ａ  排出口
１５ｂ  バルブ
２  第１オリフィス（実施例１）
２１  整流板
３  第２オリフィス
３１  補助整流板
４  油量確認窓
５ａ  スリット（実施例２の第１オリフィス）
５ｂ  円形（実施例２の第１オリフィス）
５ｃ  スリット、円形組合せ（実施例２の第１オリフィス）
Ｂ  基礎
Ｆ  ルーズフランジ
Ｔ  変圧設備
Ｐ  放圧管
【図１】
0003102594.tif 000003
【図２】
0003102594.tif 000004
【図３】
0003102594.tif 000005